(57)【特許請求の範囲】
【請求項１】
集塵袋と台紙から成る紙パックを収容する集塵室と、
この集塵室の上部開口部を開閉自在に覆う蓋と、
前記集塵室内に配置され、前記紙パックの台紙が上方から下方に向かって挿入されて少なくとも前記台紙の両側部を支持する紙パック挿入ガイドと、
前記集塵室を収容する下ケースに設けられ、前記紙パック挿入ガイドに挿入された台紙の下端が到達して停止する部位であり、前記台紙の回動支点となる第１凹部と、
前記集塵室の前壁のホース接続口に設けられたシールパッキンと、
前記台紙が外力により前記第１凹部を回動支点として回動し、さらに外力により前記シールパッキンに押しつけられた状態となる位置で、前記台紙の上部を保持する紙パック固定部品とを備え、
前記紙パック挿入ガイドは、前端がほぼ鉛直に立設し、後端が、この後端と前記前端の間の距離が下部から上方へ進むに連れて徐々に大きくなる板状の２つの側面部と、この両側面部の前端同士を接続する水平部と、各側面部の後端から前記水平部と対向するようにほぼ垂直に延設された案内レールとから構成され、
前記紙パック固定部品は、前記紙パック挿入ガイドに回動自在に支持され、
前記集塵室の底部に設けられたリブと、
前記集塵室内に収納可能なサイクロン方式の集塵ユニットと、を備え、
前記紙パック挿入ガイドは、前記リブに着脱自在に嵌合される第２凹部を有し、
前記紙パックに代えて、前記サイクロン方式の集塵ユニットを前記集塵室内に収容するときは、前記紙パック挿入ガイドが前記リブから離脱され、前記集塵室から取り除かれた後の集塵室内に前記サイクロン方式の集塵ユニットが上方から下方に向かって収納されることを特徴とする電気掃除機。
【請求項２】
前記側面部の上端に、上方へ進むに連れて前記側面部間の距離が徐々に大きくなる傾斜面を延設することを特徴とする請求項１に記載の電気掃除機。
【請求項３】
前記第２凹部は前記紙パック挿入ガイドの側面部の前端部近傍に形成され、
前記側面部は前記集塵室内の前方の角部の側壁に近接して設けられ、
前記リブは前記第２凹部と嵌合可能な位置に設けられることを特徴とする請求項１又は請求項２に記載の電気掃除機。
【発明の詳細な説明】
【技術分野】
【０００１】
本発明は、電気掃除機に関するものであり、特に集塵用紙パックの台紙の押さえ構造の改善に関する。
【背景技術】
【０００２】
近年、電気掃除機本体の集塵室内に集塵袋である紙パックをセットする際に、紙パックの台紙（口枠）の挿入を案内するための台紙案内レールを両側に有する台紙支持板を設けることで挿入性を改善する傾向にある。また、電気掃除機の下ケースの底部に別部品のバネを固定し、このバネの付勢力により、台紙支持板の上部を、この台紙支持板の下端を支点として後方に所定の角度まで回動させ、このバネの付勢力により、台紙の保持力及び台紙支持板の固定力を強めた電気掃除機が知られている。このような電気掃除機では、手動操作により台紙を台紙支持板の台紙案内レールに沿わせて挿入した後、さらにバネの付勢力に抗して手動で台紙を前方の所定位置まで回動させた上で、台紙を紙パック固定部品により固定させることでセットが完了するようにしている（例えば、特許文献１参照）。
【先行技術文献】
【特許文献】
【０００３】
【特許文献１】特許第３１４４４２１号公報
【発明の概要】
【発明が解決しようとする課題】
【０００４】
しかしながら、特許文献１に記載された従来の電気掃除機では、別部品のバネを設けるので、その分電気掃除機の重量が増加するという問題があった。また、バネの占有する領域分だけ紙パックが拡大できないため、その分集塵容量が低下するという問題があった。
また、電気掃除機の製造コストを低減させるために、同一の下ケースを使用して、サイクロン式電気掃除機と紙パック式電気掃除機を共用化させることが考えられる。この場合、集塵室内に紙パックの代わりにサイクロン方式の集塵装置であるサイクロンユニットが収納されるが、このサイクロンユニットのケースは取り扱い上、比較的高い硬度を有する材質で構成する必要があり、柔軟性に乏しいため、バネを設けた場合、このバネの占有する領域分だけサイクロンユニットのサイズを短縮して製造しなければならず、その分集塵容量が低下するという問題があった。
【０００５】
本発明は、このような問題点を解決するために為されたものであり、紙パック式かサイクロン方式かの集塵タイプの切り替えだけでなく、機種展開の自由度を高めると共に紙パックの挿入性を改善可能な電気掃除機を提供することを目的としている。
【課題を解決するための手段】
【０００６】
本発明に係る電気掃除機は、集塵袋と台紙から成る紙パックを収容する集塵室と、集塵室の上部開口部を開閉自在に覆う蓋と、集塵室内に配置され紙パックの台紙が上方から下方に向かって挿入されて少なくとも台紙の両側部を支持する紙パック挿入ガイドと、集塵室を収容する下ケースに設けられ、紙パック挿入ガイドに挿入された台紙の下端が到達して停止する部位であり台紙の回動支点となる第１凹部と、集塵室の前壁のホース接続口に設けられたシールパッキンと、台紙が外力により第１凹部を回動支点として回動しさらに外力によりシールパッキンに押しつけられた状態となる位置で、台紙の上部を保持する紙パック固定部品とを備え、紙パック挿入ガイドは、前端がほぼ鉛直に立設し、後端が、この後端と前端の間の距離が下部から上方へ進むに連れて徐々に大きくなる板状の２つの側面部と、両側面部の前端同士を接続する水平部と、各側面部の後端から水平部と対向するようにほぼ垂直に延設された案内レールとから構成され、紙パック固定部品は、紙パック挿入ガイドに回動自在に支持され、集塵室の底部に設けられたリブと、集塵室内に収納可能なサイクロン方式の集塵ユニットと、を備え、紙パック挿入ガイドは、リブに着脱自在に嵌合される第２凹部を有し、紙パックに代えて、サイクロン方式の集塵ユニットを集塵室内に収容するときは、紙パック挿入ガイドがリブから離脱され、集塵室から取り除かれた後の集塵室内にサイクロン方式の集塵ユニットが上方から下方に向かって収納されるものである。
【発明の効果】
【０００７】
本発明によれば、紙パック挿入ガイドは、前端がほぼ鉛直に立設し、後端が、この後端と前端の間の距離が下部から上方へ進むに連れて徐々に大きくなる板状の２つの側面部と、この両側面部の前端同士を接続する梁状の水平部と、各側面部の後端からほぼ垂直に延設された案内レールとから構成されるので、挿入口が広くなり、紙パックの挿入が容易である。また、シールパッキンに台紙が押しつけられた状態となる位置で紙パック固定部品が台紙の上部を保持するので、塵が集塵袋以外に漏れない、また、従来と異なりバネを使用しないので、その分電気掃除機は軽量となりかつ紙パックの集塵容量がその分増える。
【図面の簡単な説明】
【０００８】
【図１】本発明に係る電気掃除機の実施の形態１を示す外観斜視図である。
【図２】図１に示す電気掃除機本体５の斜視図である。
【図３】本発明に係る電気掃除機の電気掃除機本体５の構成を示す概略分解側面図である。
【図４】本発明に係る電気掃除機の電気掃除機本体５の詳細分解斜視図である。
【図５】紙パック式電気掃除機の吸引動力部５３２を取り除いた下ケースの構成を示す側断面図である。
【図６】図５の紙パック固定部品８１の側面断面図である。
【図７】図５の紙パック挿入ガイドの構成を示す正面図である。
【図８】紙パック６のセット手順を示す図である。
【図９】紙パック挿入ガイド８２の構成図である。
【図１０】本発明に係る電気掃除機で使用されるサイクロンユニット７の外形図である。
【図１１】本発明に係る電気掃除機を紙パック式からサイクロン式に切り替える手順を示す図である。
【発明を実施するための形態】
【０００９】
実施の形態１.
図１は本発明に係る電気掃除機の実施の形態１を示す外観斜視図である。図１に示すように電気掃除機１００は、吸込具１と、吸引パイプ２と、接続パイプ３と、ホース４と、電気掃除機本体５とから構成されている。吸込具１は床面上の塵埃及び含塵空気を吸い込む。吸込具１の出口側には真直な円筒状の吸引パイプ２の一端が接続されている。吸引パイプ２の他端には、電気掃除機１００の運転を制御する動作スイッチ２ａが設置された取手が設けられており、中途にて若干折れ曲がった接続パイプ３の一端が接続されている。接続パイプ３の他端には、可撓性を有する蛇腹状のホース４の一端が接続されている。さらに、ホース４の他端には、電気掃除機本体５が接続されている。掃除機本体５は紙パック式およびサイクロン方式のいずれも共用可能な構造を有していることを特徴としており、図示しない電源コードを介して外部電源に接続され、動作スイッチ２ａにより通電されることで集塵動作を行う。吸込具１、吸引パイプ２、接続パイプ３およびホース４は、含塵空気を電気掃除機本体５の外から内部に流入させるための流通路の一部を構成する。
【００１０】
図２は図１に示す電気掃除機本体５の斜視図であり、蓋を開けて集塵室の内部が部分的に見えるようにした状態を示している。図２（ａ）は、紙パック６を装着した直後の状態を示しており、台紙のみが見えている。また、図２（ｂ）は、サイクロン方式の集塵装置であるサイクロンユニットを装着した状態を示している。このように、本発明に係る電気掃除機の電気掃除機本体は紙パック式でもサイクロン方式でも共用できる構造になっており、汎用性が高いことを特徴としている。また、将来発生しうる別機種の紙パック、別機種のサイクロンユニットでも、本発明で使用しているものと同形同サイズであれば、この電気掃除機の下ケースを共用でき、将来の機種展開を進める上での自由度を高めることが可能である。
【００１１】
また、図３は、本発明に係る電気掃除機の電気掃除機本体５の構成を示す概略分解側面図であり、図４は本発明に係る電気掃除機の電気掃除機本体５の詳細分解斜視図である。なお、図４において、紙パック６を装着した場合が描かれているが、サイクロンユニット７を装着しても良いことはいうまでもない。
次に、電気掃除機本体５の構成を図２〜図４を用いて説明する。
図２〜図４に示すように、電気掃除機１００の電気掃除機本体５は、蓋５１と、上ケース５２と、下ケース５３と、下ケース５３に取り付けられ電気掃除機本体５を手で持ち運びができるようにする為の取手５４と、下ケース５３に取り付けられた１つの前輪５５と、径が前輪より大きく、下ケース５３を回転移動可能なように支持する２つの後輪５６とを備えている。
【００１２】
次に、下ケース５３の内部構成について説明する。
図３において、左側を前方と呼び、右側を後方と呼ぶ。下ケース５３内の前方には集塵室５３１が設けられ、後方には吸引動力部５３２が設けられている。また、集塵室５３１と吸引動力部５３２との間には、セパレータ５３３が設けられており、ここにＨＥＰＡフィルターなどの微細塵を捕捉するフィルターが設置される。また、下ケース５３の前方にはホース４と接続する開口部であるホース接続口が集塵室５３１と連通する形で形成されており、このホース接続口はゴムなどの弾性部材から成るシールパッキン５３４で覆われている。
集塵室５３１には集塵用の紙パック６またはサイクロンユニット７を収納可能である。吸引動力部５３２は例えばモーターで構成されており、モーターに通電することで、塵埃を含む外気を吸込具１から流通路を介して集塵室５３１内に設けられた集塵袋内に吸引する。その他、電気掃除機本体５には、制御基板５３５、表示部、コードリール部５３６、排気口などが設けられている。
【００１３】
電気掃除機本体５の外から流入した含塵空気は、ホース接続口を介して、紙パック６またはサイクロンユニット７を通過し、この紙パック６またはサイクロンユニット７にて濾過され、濾過された空気はセパレータ５３３に設けられたＨＥＰＡフィルターなどのフィルター部と、吸引動力部５３２と、図示していない排気口を順に経て、電気掃除機本体５の外に排出されるよう構成されている。
【００１４】
次に、集塵室５３１の内部構成について説明する。図５は、紙パック式電気掃除機の吸引動力部５３２を取り除いた下ケースの構成を示す側断面図であり、図５（ａ）〜図５（ｃ）は紙パックの装着手順を示しており、図５（ａ）は紙パック挿入前の状態を示しており、図５（ｂ）は紙パック挿入直後の状態を示しており、図５（ｃ）は紙パック６を紙パック固定部品８１に装着後の状態を示している。図５（ａ）に示すように、集塵室５３１の内部には、紙パック固定部品８１と紙パック挿入ガイド８２（前述の台紙支持板に相当するもの）が設けられている。
紙パック固定部品８１は紙パック６を所定位置で固定するものであり、図６に示すようにほぼ中央部の下端と紙パック挿入ガイド８２の水平部８２２の上端部に回動軸８１１を設け、この回動軸８１１を支点として上下方向に回動自在に支持され、後端部８１２の下端は断面形状が外側に凸のほぼ弧状の曲面で構成されている。また、この後端部８１２の下端には爪部８１３が形成されており、爪部８１３と回動軸８１１との間に紙パック６の台紙６１の上端部と嵌合する凹部８１４が形成されている。
【００１５】
紙パック固定部品８１は、紙パック６が装着されていない時は、紙パック固定部品８１の後端部側はやや下方に回動して下向きに垂れ下がるように構成されている。これを実現させるためには、紙パック固定部品８１の重心が回動軸８１１よりも後方になるように構成しても良いし、後方へ付勢力を与えるバネを用いても良い。
また、下ケース５３の底部に設けられたリブ凹部８３は、紙パック６が紙パック挿入ガイド８２に沿って挿入された時に最終的に台紙６１の下端が行き着き、且つ停止する場所であり、このリブ凹部８３を回動支点として台紙６１の上部が手動で前後方向に回動可能となる。なお、リブ凹部８３は本発明の第１凹部に相当する。
【００１６】
図８は紙パック６のセット手順を示す図であり、同時に紙パック挿入ガイド８２の概略構成を示している。図８に示すように、紙パック挿入ガイド８２は、前端がほぼ鉛直に立設し、後端が、この後端と前記前端の間の距離が下部から上方へ進むに連れて徐々に大きくなる傾斜を有するほぼ台形状の２つの側面部８２１と、この両側面部８２１、８２１の前端同士を接続する梁状の水平部８２２と、各側面部８２１、８２１の後端から水平部８２２と対向するようにほぼ垂直に延設された案内レール８２３、８２３とから構成されている。紙パック挿入ガイド８２を水平面で切断した断面形状は略Ｃ字状を呈する。
【００１７】
次に、紙パック６のセット手順について図５〜図６及び図８を用いて説明する。
図５（ａ）に示すように紙パック６が装着されていない状態において、紙パック６を集塵室５３１内にセットする場合、図８（ａ）に示すように、まず、紙パック６を紙パック挿入ガイド８２の上方から紙パック挿入ガイド８２に向けて挿入する。この場合、紙パック挿入ガイド８２の上部の側面部８２１の幅が最も大きいため、挿入口の開口面積が大きく挿入し易い。また、台紙６１が挿入するとき、台紙６１の下端及び台紙６１の下面の両側部を両端の案内レール８２３に載せ、案内レール８２３に沿って下方へ滑り込ませるようにすれば、挿入がスムーズになる。
【００１８】
なお、図８では台紙６１のみしか図示していないが、実際には台紙６１と集塵袋６２が一体となった紙パック６が挿入される。集塵袋６２も一緒に図示すると、説明が難しくなるため、便宜上台紙６１のみを図示している。
このように紙パック６の台紙６１の両端を案内レール８２３に沿わせて挿入することにより、台紙６１の下端は下方への挿入が進むに連れて前方へ移動していく。従って、台紙６１の挿入が進むに連れて台紙６１の重心は次第に案内レール８２３側に移動するため、台紙６１は案内レール８２３側に倒れて行く。そして、意図的に台紙の上部を紙パック挿入ガイド８２内の最前部へ持って行かない限り、最終的に台紙６１を案内レール８２３上に乗せた状態で挿入できる。
このため、台紙６１の上端部がその下端部よりも多少前向きの傾斜状態で台紙６１を紙パック挿入ガイド８２に挿入しても、上記の倒れ込み機構により支障なく挿入できるので、台紙の挿入傾斜角度の自由度が大きくなり、挿入操作が容易である。
なお、図７に示すように側面部８２１の上端に上方へ進むに連れて両側面部８２１、８２１間の距離が徐々に大きくなるような外向きの傾斜面を延設させても良い。これにより、台紙６１の挿入口の領域が拡大されるため、さらに台紙６１の挿入が容易になる。
【００１９】
ここで、重要なのは、従来例と異なり、バネを使用していないことである。バネを使用しなくても紙パック６の挿入が容易であるだけでなく、バネを使用しないので、その分電気掃除機本体５の重量が軽くなる。また従来よりもバネの占有体積分紙パック６の集塵容量が大きくなるというメリットがある。
次に、台紙６１の下端が案内レール８２３の下端を通り過ぎて下ケース５３の底部に設けられたリブのリブ凹部８３と当接すると、台紙６１の移動はそこで停止して、台紙６１の挿入は完了する。この時の状態が図５（ｂ）及び図８（ｂ）に示されている。
【００２０】
次に、手動で台紙６１の上部を前方に押す。これにより、紙パック６は台紙６１の下端が位置するリブ凹部８３を支点として前方へ回動し、台紙６１の上端部が紙パック固定部品８１の後端部８１２に当接する。さらに手動で台紙６１の上部を前方に押し込むと、後端部８１２は断面形状が外側に凸のほぼ弧状の曲面で構成されているため、紙パック固定部品８１の後端部８１２は台紙６１の上端部によって回動軸８１１を中心として上方へ持ち上げられる。そして、押し込みがさらに進んで紙パック固定部品８１の爪部８１３が台紙６１の上端部を乗り超えると、紙パック固定部品８１の凹部８１４に台紙６１の上端部が嵌合することで紙パック６は固定され、セットが完了する。この時、図４に示すシールパッキン５３４に台紙６１を押し付けた状態で紙パック固定部品８１が台紙６１の上部を保持し、図８に示す台紙６１の穴６１Ｈとホース接続口５３４Ｈが一致するように位置決めされる。この時の状態が図５（ｃ）、（ｂ）及び図８（ｃ）に示されている。
これにより、台紙６１の穴６１Ｈとホース接続口５３４Ｈは密着状態で連通されるため、ホース接続口５３４Ｈから吸引した塵はすべて集塵袋６２内に吸入され、それ以外に漏れることはなくなる。
なお、上記の例では、側面部８２１の形状をほぼ台形状としたが、これに限る必要はない。例えば下に凸のＣ字状曲線（所謂滑り台の描く曲線）でも良い。
【００２１】
次に、サイクロンユニット７のセット手順について説明する。
図９は紙パック挿入ガイド８２の構成図であり、図９（ａ）は紙パック挿入ガイド保持リブ８２５を嵌合させる前の紙パック挿入ガイド８２の斜視図、図９（ｂ）は紙パック挿入ガイド保持リブ８２５を嵌合させた後の紙パック挿入ガイド８２の斜視図、図９（ｃ）は紙パック挿入ガイド保持リブ８２５を嵌合させた状態の正面断面図である。
図９において、図６と同符号は同一または相当部である。凹部８２４は紙パック挿入ガイド８２の側面部８２１の最前部の内側に形成されている。また、紙パック挿入ガイド保持リブ８２５は下端が下ケース５３の底部に設けられており、突起部８２５１と凹部８２４との嵌合部８２５２とから構成されている。電気掃除機を紙パック式として使用する場合には、紙パック挿入ガイド８２を手動で紙パック挿入ガイド保持リブ８２５の上方から紙パック挿入ガイド保持リブ８２５に嵌め込むことで紙パック挿入ガイド保持リブ８２５の嵌合部８２５２が紙パック挿入ガイド８２の凹部８２４に嵌合し、紙パック挿入ガイド保持リブ８２５の突起部８２５１が紙パック挿入ガイド８２の水平部８２２の外壁面と密接状態で位置付けられる。これにより、紙パック挿入ガイド８２が紙パック挿入ガイド保持リブ８２５を介して下ケース５３に固定される。なお、紙パック挿入ガイド保持リブ８２５と凹部８２４の嵌合を密接にするために紙パック挿入ガイド保持リブ８２５の位置を凹部８２４の位置よりも若干外側に配置させ、その上部は凹部８２４の位置と同じか若干内側になるように構成しても良い。なお、凹部８２４は本発明の第２凹部に相当する。
【００２２】
この紙パック挿入ガイド保持リブ８２５は下ケース５３を紙パック式電気掃除機とサイクロン方式の電気掃除機の両方に共通に使用できるようにするための構造であり、本発明の特徴の１つである。即ち、紙パック式からサイクロン方式に切り替える時には、紙パック６に代えてサイクロンユニット７を挿入して使用するが、このサイクロンユニットの挿入時に干渉して邪魔となる紙パック挿入ガイド８２を紙パック固定部品８１と共に紙パック挿入ガイド保持リブ８２５から引き抜くことが可能である。紙パック挿入ガイド８２を紙パック固定部品８１と共に紙パック挿入ガイド保持リブ８２５から引き抜くことにより、サイクロンユニット７の挿入が可能になる。
【００２３】
図１０は本発明に係る電気掃除機で使用されるサイクロンユニット７の外形図である。図１０（ａ）はサイクロンユニット７の斜視図である。また、図１０（ｂ）はサイクロンユニット７の正面図であり、図１０（ａ）の矢印Ａの方向から見た図である。また、図１０（ｃ）はサイクロンユニット７の右側面図であり、図１０（ａ）の矢印Ｂの方向から見た図である。また、図１０（ｄ）はサイクロンユニット７の背面図であり、図１０（ａ）の矢印Ｃの方向から見た図である。図１０に示すようにサイクロンユニット７のケースの形状は集塵室５３１内部に最大容量で嵌合できるようなボックス形をしており、比較的高い硬度の素材で構成されている。サイクロンユニット７はホース接続口５３４Ｈと接続される開口部７Ｈと、この開口部７Ｈと連通して、含塵空気を旋回流に変えて効率良く粗塵を捕捉する旋回室と、旋回室で粗塵を濾過された比較的きれいな空気をフィルターによってさらに濾過する濾過室とから構成されている。
【００２４】
図１１は本発明に係る電気掃除機を紙パック式からサイクロン式に切り替える手順を示す図である。次に、電気掃除機を紙パック式からサイクロン式に切り替える操作手順を図１１により説明する。図１１において、太い矢印は操作手順を示す。
電気掃除機を紙パック式からサイクロン式に切り替える場合、まず、図１１（ａ）に示すように、手で蓋５１を開けて、手動で紙パック挿入ガイド８２を上方へ引き抜く。この操作により、紙パック挿入ガイド８２の凹部８２４に嵌合していた紙パック挿入ガイド保持リブ８２５との嵌合が外れ、集塵室５３１から取り除かれる。また、図１１（ｂ）に示すように、紙パック挿入ガイド８２の一部に固定していた紙パック固定部品８１は紙パック挿入ガイド８２と共に引き抜かれる。これにより、集塵室５３１内から集塵室５３１内には、サイクロンユニット７の挿入を邪魔するものがなくなるため、集塵室５３１内へのサイクロンユニット７の収容が可能になる。
次に、図１１（ｃ）に示すように、蓋が開いている状態で、サイクロンユニット７を、その底部を下にした状態で集塵室５３１内に上方から挿入する。そして、図１１（ｄ）に示すように、サイクロンユニット７の集塵室５３１内への挿入が完了したら、蓋５１を閉じる。
【００２５】
以上の簡単な操作手順により、紙パック式からサイクロン方式への切り替えが完了する。
以上の操作において、従来と異なり、バネは一切使用しないので、その分重量が軽くなる。また従来よりもバネの占有体積分サイクロンユニットのサイズを大きくでき、ひいては、サイクロン集塵容量を大きくすることができる。
また、切り替えの際にバネとの係合を取り外したり取り付けたりするという工程も不要であり、製造コストの削減が可能である。
また、バネがないため、台紙６１を前方へ回動する際に、バネの後方への付勢力に抗して力を入れる必要もない。
なお、凹部８２４は紙パック挿入ガイド８２の側面部８２１の前端部近傍に形成されており、この側面部８２１は集塵室５３１内の前方の角部の側壁に近接して設けられている。また、紙パック挿入ガイド保持リブ８２５は凹部８２４に嵌合可能な位置に設けられている。このように、紙パック挿入ガイド保持リブ８２５を集塵室５３１内の前方の両角部近傍に設けたので、紙パック６又はサイクロンユニット７を収納するときに紙パック６又はサイクロンユニット７と紙パック挿入ガイド保持リブ８２５との干渉を回避できる。
また、紙パック固定部品８１は、紙パック挿入ガイド８２に回動自在に支持されているため、紙パック挿入ガイド８２を紙パック挿入ガイド保持リブ８２５との嵌合を外して集塵室５３１から引き抜く際には紙パック固定部品８１も引き抜き可能であるため、サイクロンユニット７の集塵容量がさらに向上する。
【００２６】
以上のように、集塵タイプの切り替え、将来の機種展開の自由度を高めながら、紙パック６の挿入性を改善することができる。
また、紙パック挿入ガイド保持リブ８２５の紙パック６の挿入時には弊害にならない。
また、別部品のバネを削減できるため、軽量化を図ることができる。
また、下ケースを共用しても、サイクロン式の集塵容量が低下しない。
【産業上の利用可能性】
【００２７】
本発明に係る電気掃除機は、紙パック式だけでなく、サイクロン方式でも共用可能であり、掃除機の産業分野において広く利用することができる。
【符号の説明】
【００２８】
１  吸込具、２  吸引パイプ、２ａ  動作スイッチ、３  接続パイプ、４  ホース、５  電気掃除機本体、６  紙パック、７  サイクロンユニット、７Ｈ  開口部、５１  蓋、５２  上ケース、５３  下ケース、５４  取手、５５  前輪、５６  後輪、６１  台紙、６１Ｈ  穴、６２  集塵袋、８１  紙パック固定部品、８２  紙パック挿入ガイド、８３  リブ凹部（第１凹部）、１００  電気掃除機、５３１  集塵室、５３２  吸引動力部、５３３  セパレータ、５３４  シールパッキン、５３４Ｈ  ホース接続口、５３５  制御基板、５３６  コードリール部、８１１  回動軸、８１２  後端部、８１３  爪部、８１４  凹部、８２１  側面部、８２２  水平部、８２３  案内レール、８２４  凹部（第２凹部）、８２５  紙パック挿入ガイド保持リブ
【図１】
0005585187.tif 000002
【図２】
0005585187.tif 000003
【図３】
0005585187.tif 000004
【図４】
0005585187.tif 000005
【図５】
0005585187.tif 000006
【図６】
0005585187.tif 000007
【図７】
0005585187.tif 000008
【図８】
0005585187.tif 000009
【図９】
0005585187.tif 000010
【図１０】
0005585187.tif 000011
【図１１】
0005585187.tif 000012